(57)【要約】【課題】カバー部材と方立との間のシーリング作業が不要であるとともにカバー部材の熱収縮が生じたときに連結具が外部から見えるのを確実に防止でき、更に隙間塞ぎ部材がいたずら等による取り外されるのを防止できるサッシを提供する。【解決手段】本発明のサッシ１は、方立３と、無目５と、方立の側面３ａと無目５の室内側面５ａとに固定した略Ｌ字形状の連結具７と、無目５の室内側面に固定する断面略コ字形状のカバー部材９と、方立３の側面に固定してカバー部材９の側端面９ａと方立３との間の隙間を埋める略コ字形状の隙間塞ぎ部材１１とを備え、隙間塞ぎ部材１１はカバー部材９の内部にあり、連結具９の少なくとも方立との固定部７ａが隙間塞ぎ部材１１の内部にある。【選択図】      図１
2004250868.tif 000002
【特許請求の範囲】
【請求項１】
方立と、無目と、方立の側面と無目の室内側面とに固定して方立と無目とを固定する略Ｌ字形状の連結具と、無目の室内側面に固定する断面略コ字形状のカバー部材と、方立の側面に固定してカバー部材の側端面と方立との間の隙間を埋める略コ字形状の隙間塞ぎ部材とを備え、隙間塞ぎ部材はカバー部材の内部にあり、連結具の少なくとも方立との固定部が隙間塞ぎ部材の内部にあることを特徴とするサッシ。
【発明の詳細な説明】
【０００１】
【発明の属する技術分野】
本発明は、方立と無目とを連結具で固定したサッシに関する。
【０００２】
【従来の技術】
この種の技術として、特許文献１には、方立の側面と無目の室内側面に略Ｌ字形状の連結具を固定して方立と無目とを固定し、カバー部材の側端面に隙間塞ぎ部材を係止して、隙間塞ぎ部材でカバー部材の側端面と方立の側面との間の隙間を塞いで、カバー部材と隙間塞ぎ部材とで連結具を隠すことが開示されている。この隙間塞ぎ部材にはカバー部材の側端部の外周面に重なる重合部を設けるとともに、隙間塞ぎ部材に設けた係止部にカバー部材の側端部を係止させている。
【０００３】
【特許文献１】
特開平１１−６２３９１号公報
【０００４】
【発明が解決しようとする課題】
しかし、隙間塞ぎ部材はカバー部材に係止しているだけなので、カバー部材が熱収縮した場合にカバー部材と隙間塞ぎ部材との係止が解けることがある。その場合に隙間塞ぎ部材はカバー部材の外周に露出しているので、いたずら等により隙間塞ぎ部材を掴んで取り外される可能性がある。
また、隙間塞ぎ部材はカバー部材に係止しているから、カバー部材の熱収縮に追随して隙間閉塞ぎ部材が方立から離れて、方立と隙間塞ぎ部材との間に隙間ができて連結具が外部から見える可能性がある。
本発明は、カバー部材と方立との間のシーリング作業が不要であるとともにカバー部材の熱収縮が生じたときに連結具が外部から見えるのを確実に防止でき、更に隙間塞ぎ部材がいたずら等による取り外されるのを防止できるサッシの提供を目的とする。
【０００５】
【課題を解決するための手段】
請求項１に記載の発明は、方立と、無目と、方立の側面と無目の室内側面とに固定して方立と無目とを固定する略Ｌ字形状の連結具と、無目の室内側面に固定する断面略コ字形状のカバー部材と、方立の側面に固定してカバー部材の側端面と方立との間の隙間を埋める略コ字形状の隙間塞ぎ部材とを備え、隙間塞ぎ部材はカバー部材の内部にあり、連結具の少なくとも方立との固定部が隙間塞ぎ部材の内部にあることを特徴とする。
【０００６】
この請求項１に記載の発明では、隙間塞ぎ部材がカバー部材の側端面と方立の側面との間の隙間を塞いでいるので、カバー部材の側端面と方立の側面との間の隙間を塞ぐシーリング作業が不要である。
隙間塞ぎ部材は方立に固定しているので、カバー部材の熱収縮があってもそれにともなって隙間塞ぎ部材が方立から離れることがなく、従来のように隙間塞ぎ部材が方立から離れることにより連結具が外部から見えるのを確実に防止できる。
隙間塞ぎ部材はカバー部材の内部にあるから、いたずら等により隙間塞ぎ部材を外部から掴んで取り外されることを防止できる。
【０００７】
【発明の実施の形態】
以下に、添付図面を参照して本発明の実施の形態を詳細に説明する。図１の（ａ）は本実施の形態にかかるサッシの横断面図であり、（ｂ）は（ａ）の図において連結具を除いた状態を示す図であり、図２は図１のサッシをＡ―Ａ位置で切断した縦断面図である。尚、図２において、一点鎖線で抜き出して示しているのは、サッシのカバー部材と隙間塞ぎ部材とを抜き出して示す図である。
本発明の実施の形態にかかるサッシ１はカーテンウォールであり、方立３と、無目５と、方立３と無目５とを連結する連結具７と、無目５に固定するカバー部材９と、カバー部材９と方立３との間の隙間Ｓを埋める隙間塞ぎ部材１１とを備えている。尚、本実施の形態にかかるサッシ１では、図１（ａ）（ｂ）のそれぞれにおける室外側から室内側を見て左側に開閉障子１２が設けられており、右側に嵌め殺し障子１４が設けられているが、右側の嵌め殺し障子１４は方立の上下方向全体に亘って設けられており、左側の開閉障子１２は方立の上部に設けてあり、図２に示すように開閉障子１２の下部には嵌め殺し障子１６が設けられている。
方立３には、その室外側面に開閉障子１２の補助材１８と嵌め殺し障子１４の枠材１３が固定されており、無目５には上部に設けた開閉障子１２の補助部２０と、下部に設けた嵌め殺し障子１６の上枠２２が一体に形成されている。
連結具７は、略Ｌ字形状を成しており、Ｌ字の一側を方立３の側面３ａにボルト１９で固定しており、Ｌ字の他側を無目５の室内側面５ａにボルト２１で固定している。
カバー部材９は縦断面が略コ字形状であり、その内部の上下にそれぞれ設けた係止片１７（図２参照）を無目５に係止することにより、無目５の室内側面５ａに固定されている。このカバー部材９は、無目５の長手方向（横方向）に亘ってその室内側面５ａを隠すとともに、連結具７と無目５とを固定している連結具７の少なくとも無目側固定部７ｂを隠している。カバー部材９の側端面９ａと方立３の側面３ａとの間には隙間Ｓを形成することにより、方立３の側面３ａに対してカバー部材９の側端面９ａは、熱伸び及び熱収縮による相対変位が可能になっている。
隙間塞ぎ部材１１はカバー部材９の側端面９ａと方立３の側面３ａとの間の隙間Ｓを塞いでいる。隙間塞ぎ部材１１は断面が略コ字形状であり、その内部に設けている上下のネジ止めホール２３（図２参照）に螺合するネジ２５で方立の側面３ａに固定されている。
隙間塞ぎ部材１１の内部には、連結具７の少なくとも方立との固定部７ａが位置している。
また、隙間塞ぎ部材１１はカバー部材９の内部にあり、断面が略コ字形状のカバー部材９の側端面９ａの内周側でカバー部材９と重合している。
【０００８】
次に、本実施の形態にかかるサッシの施工及び作用について説明する。施工は、方立３の側面３ａと無目５の室内側面５ａに略Ｌ字形状の連結具７をボルト２１、１９で止めて方立３と無目５とを連結する。次に、連結具７において方立３の側面３ａにボルト１９で固定した箇所をコ字の内部に呑み込むように隙間塞ぎ部材１１を方立３の側面３ａに配置して、ネジ２５で方立３の側面３ａに固定する。その後、カバー部材９の側端面９ａが隙間塞ぎ部材１１を呑み込むようにカバー部材９を無目５に配置して、カバー部材９の係止片１７を無目５の室内側面５ａに係止することによりカバー部材９を無目５に固定する。
この施工においては、隙間塞ぎ部材１１がカバー部材９の側端面９ａと方立３の側面３ａとの間の隙間Ｓを塞いでいるので、カバー部材９の側端面９ａと方立３の側面３ａとの間の隙間Ｓを塞ぐシーリング作業が不要である。
カバー部材９に熱収縮や熱伸びがあった場合には、その熱収縮や熱伸びによりカバー部材９の側端面９ａと方立３の側面３ａとの間の隙間Ｓの寸法が変動するが、カバー部材９の側端面９ａの内部にはカバー部材９に重合するように隙間塞ぎ部材１１を設けているので、カバー部材９の熱伸びはもとより熱収縮があった場合にも隙間塞ぎ部材１１によりカバー部材９の側端面９ａと方立３の側面３ａとの間の隙間Ｓを塞ぐことができる。
本実施の形態では、隙間塞ぎ部材１１は方立３の側面３ａに固定されているので、カバー部材９の熱収縮により従来のように隙間塞ぎ部材１１が方立３の側面から離れて連結具が外部から見えることがない。また、隙間塞ぎ部材１１はカバー部材の内部にあるので外から隙間塞ぎ部材１１を掴みにくく、隙間塞ぎ部材１１をいたずら等により外されることを防止できる。
【０００９】
本発明は、上述した実施の形態に限らず、本発明の要旨を逸脱しない範囲で種々変形可能である。
隙間塞ぎ部材１１には、連結具７の方立側固定部７ａのみが内部にあることに限らず、連結具７全体が内部にあるものであってもよい。
カバー部材９の断面及び隙間塞ぎ部材１１の略コ字形状には、共に円弧状に湾曲した形状も含む。
【００１０】
【発明の効果】
この請求項１に記載の発明によれば、隙間塞ぎ部材がカバー部材の側端面と方立との間の隙間を塞いでいるので、カバー部材の側端面と方立との間の隙間を塞ぐシーリング作業が不要である。
隙間塞ぎ部材は方立に固定しているので、カバー部材の熱収縮があってもそれにともなって隙間塞ぎ部材が方立の側面から離れて連結具が外部から見えることがない。
隙間塞ぎ部材はカバー部材の内部にあるから、いたずら等により隙間塞ぎ部材を外部から掴んで取り外されるのを防止できる。
【００１１】
【図面の簡単な説明】
【図１】（ａ）は本実施の形態にかかるサッシの横断面図であり、（ｂ）は（ａ）の図において連結具を除いた状態を示す図である。
【図２】図１のサッシをＡ―Ａ位置で切断した縦断面図である。
【符号の説明】
１    サッシ
３    方立
３ａ  側面
５    無目
５ａ  室内側面
７    連結具
９    カバー部材
９ａ  側端面
１１  隙間塞ぎ部材
Ｓ    隙間
【図１】
2004250868.tif 000003
【図２】
2004250868.tif 000004